(57)【特許請求の範囲】
【請求項１】
土や砂地に対して穴を開ける突き刺し具と、肥料を入れる肥料容器と、これらが取り付けられた一本の棒形状の本体と、前記本体上方に配されて上下に摺動させることで前記突き刺し具の開閉操作を行なう摺動管と、前記摺動管上方で前記本体に取付けられて手で把持しながら前記肥料容器の排出口の開閉操作を行なう操作部を備え、
前記突き刺し具は、対向する一対の突き刺し具であって、前記摺動管と前記突き刺し具の一方がワイヤ連結されており、前記操作部が手で把持して操作する形状となっているとともに、前記摺動管の上方には指引っ掛け部が配されており、前記指引っ掛け部と前記操作部とを手で把持することで、前記突き刺し具の一方が他方に対して開く構成であり、
前記肥料容器の排出口には、パイプが連結されるとともに、当該パイプへの連結部を塞ぐ栓が設けられており、前記操作部の操作によって前記栓を開閉操作可能な構成とされ、
前記肥料容器の排出口を前記栓によって塞いだ状態で、閉じた前記一対の突き刺し具を土や砂地に対して突き刺し、前記肥料容器の排出口の開操作によって前記栓を開いて、その後、前記突き刺し具の開操作によって前記一対の突き刺し具を開くことで前記土や砂地に対して穴を広げると同時に、開いた前記一対の突き刺し具の間から肥料を供給するか、又は、
前記排出口を前記栓によって塞いだ状態で、閉じた前記一対の突き刺し具を土や砂地に対して突き刺し、前記突き刺し具の開操作によって前記一対の突き刺し具を開くことで前記土や砂地に対して穴を広げて、その後、前記肥料容器の排出口の開操作によって前記栓を開いて、開いた前記一対の突き刺し具の間から肥料を供給することを特徴とする肥料供給具。
【請求項２】
前記操作部には操作ピンが配されており、前記操作ピンと前記栓とがワイヤ連結されていることで、前記パイプへの連結部を塞ぐ栓を開閉操作可能な構成となっていることを特徴とする請求項１記載の肥料供給具。
【請求項３】
前記肥料容器には、肥料を貯蔵する貯蔵部と、肥料を計量するため前記貯蔵部の下に配された計量部とが備わっており、前記パイプへの連結部を塞ぐ栓を第２の栓として、前記貯蔵部から前記計量部への連結部を塞ぐ第１の栓が設けられており、前記操作部には第２の操作ピンと第１の操作ピンとが所定間隔で配されており、前記第２の操作ピンと前記第２の栓とがワイヤ連結されていることで、前記第２の栓を開閉操作可能な構成となっており、かつ、前記第１の操作ピンと前記第１の栓とがワイヤ連結されていることで、前記第１の栓を開閉操作可能な構成となっており、前記計量部で所定量が計量された分だけ前記一対の突き刺し具の間から肥料を供給することを特徴とする請求項１記載の肥料供給具。
【発明の詳細な説明】
【技術分野】
【０００１】
本発明は、土や砂地に対して肥料を供給する肥料供給具に関する。
【背景技術】
【０００２】
耕作地や家庭菜園等において、土や砂地に対して肥料を供給する際に、土や砂地の上に肥料を散布するほかに、土や砂地に穴を開けてから肥料を供給することが必要になる場合がある。また、植林を行う際にも、土や砂地に穴を開けて肥料を供給してから植林を行う場合もある。
【０００３】
特許文献１は、容器とその下部に取り付けた筒との間に流通口を設けて、該流通口に蓋を設け、蓋の中間に栓を設け、筒の中間に栓を設け、爪部の上方に引き金を設けた施肥器が開示されている。
【特許文献１】実開平６−２５号公報
【発明の開示】
【発明が解決しようとする課題】
【０００４】
しかしながら、特許文献１では、家庭菜園用であると考えられるが、土や砂地に対して十分な開口（特に深さの深い開口）を開けることができず、このため肥料も深く土の中や砂地の中に入れることができなかった。また、肥料の供給の仕方によっては、肥料を計量した上で土の中や砂地の中に入れることが要求される場合もあるが、特許文献１では、作業者の勘で肥料を土の中や砂地の中に入れるしかなかった。さらに、土や砂地の中でも、散布（飛散）しすぎて所定箇所に集中して施肥できないこともある。なお、家庭菜園用のものでは、山や広い平野に植林をするときに、多数の植林を十分な深さに植林することができない問題を有する。
【０００５】
そこで本発明の目的は、肥料を土の中や砂地の中に深く効率よく供給することができるとともに、計量された肥料を土の中や砂地の中に入れることができる肥料供給具を提供することにある。
【課題を解決するための手段】
【０００６】
本発明の肥料供給具は、土や砂地に対して穴を開ける突き刺し具と、肥料を入れる肥料容器と、これらが取り付けられた一本の棒形状の本体と、前記本体上方に配されて上下に摺動させることで前記突き刺し具の開閉操作を行なう摺動管と、前記摺動管上方で前記本体に取付けられて手で把持しながら前記肥料容器の排出口の開閉操作を行なう操作部を備え、前記突き刺し具は、対向する一対の突き刺し具であって、前記摺動管と前記突き刺し具の一方がワイヤ連結されており、前記操作部が手で把持して操作する形状となっているとともに、前記摺動管の上方には指引っ掛け部が配されており、前記指引っ掛け部と前記操作部とを手で把持することで、前記突き刺し具の一方が他方に対して開く構成であり、前記肥料容器の排出口には、パイプが連結されるとともに、当該パイプへの連結部を塞ぐ栓が設けられており、前記操作部の操作によって前記栓を開閉操作可能な構成とされ、前記肥料容器の排出口を前記栓によって塞いだ状態で、閉じた前記一対の突き刺し具を土や砂地に対して突き刺し、前記肥料容器の排出口の開操作によって前記栓を開いて、その後、前記突き刺し具の開操作によって前記一対の突き刺し具を開くことで前記土や砂地に対して穴を広げると同時に、開いた前記一対の突き刺し具の間から肥料を供給するか、又は、
前記排出口を前記栓によって塞いだ状態で、閉じた前記一対の突き刺し具を土や砂地に対して突き刺し、前記突き刺し具の開操作によって前記一対の突き刺し具を開くことで前記土や砂地に対して穴を広げて、その後、前記肥料容器の排出口の開操作によって前記栓を開いて、開いた前記一対の突き刺し具の間から肥料を供給することを特徴とする。
【０００７】
この発明によれば、上記一対の突き刺し具を土や砂地に突き刺すようにして、開操作して土や砂地を拡開してから、肥料容器から肥料を供給するか、又は、上記一対の突き刺し具を土や砂地に突き刺すようにしてから、肥料容器から肥料を上記一対の突き刺し具の間に投入しておき、上記一対の突き刺し具を開操作させると同時に、土や砂地に肥料を供給することができる。したがって、肥料を土の中や砂地の中に深く効率よく供給することができる。
【０００８】
本発明としては、前記肥料容器に、肥料を貯蔵する貯蔵部の他に、肥料を計量する計量部を有し、この計量部で所定量が計量された分だけ上記一対の突き刺し具の間から供給することが好ましい。
本発明によれば、計量部で所定量が計量された分だけ上記一対の突き刺し具の間から供給することができるので、例えば山に多数の植林を行うような場合に、多数の植林を一律な肥料の供給量で効率的に行うことができるようになる。
【０００９】
本発明は、前記操作部には操作ピンが配されており、前記操作ピンと前記栓とがワイヤ連結されていることで、前記パイプへの連結部を塞ぐ栓を開閉操作可能な構成となっていることを特徴とする。又は、本発明は、前記肥料容器には、肥料を貯蔵する貯蔵部と、肥料を計量するため前記貯蔵部の下に配された計量部とが備わっており、前記パイプへの連結部を塞ぐ栓を第２の栓として、前記貯蔵部から前記計量部への連結部を塞ぐ第１の栓が設けられており、前記操作部には第２の操作ピンと第１の操作ピンとが所定間隔で配されており、前記第２の操作ピンと前記第２の栓とが第２のワイヤ連結されていることで、前記第２の栓を開閉操作可能な構成となっており、かつ、前記第１の操作ピンと前記第１の栓とがワイヤ連結されていることで、前記第１の栓を開閉操作可能な構成となっており、前記計量部で所定量が計量された分だけ前記一対の突き刺し具の間から肥料を供給することを特徴とする。
本発明によれば、前記一対の突き刺し具の開閉操作も前記肥料容器の開閉操作も前記操作部で操作でき、いずれの操作も手で容易に行うことができる。
【発明の効果】
【００１０】
本発明によれば、上記一対の突き刺し具を土や砂地に突き刺すようにして、開操作して土や砂地を拡開してから、肥料容器から肥料を供給するか、又は、肥料容器から肥料を上記一対の突き刺し具の間に投入しておき、上記一対の突き刺し具を開操作させると同時に、土や砂地に肥料を供給することができる。したがって、肥料も土の中や砂地の中に深く効率よく供給することができる。また、本発明によれば、計量部で所定量が計量された分だけ上記一対の突き刺し具の間から供給することができるので、例えば山等に多数の植林を行うような場合に、多数の植林を一律な肥料の供給量で効率的に行うことが可能になる。さらに、一対の突き刺し具の間から供給するので、土の中でも拡散しすぎることなく所定箇所に集中させて施肥することが料可能になる。
【発明を実施するための最良の形態】
【００１１】
以下、本発明を実施するための最良の形態を図面にもとづいて説明する。
【００１２】
（第１の実施の形態）
図１は、本発明に係る第１の実施の形態の肥料供給具１の斜視図であり、図２と図３はその使用例を説明する図である。本実施の形態は、土や砂地Ｓに対して穴を開ける突き刺し具２と、肥料が入れられる肥料容器３と、これらが取り付けられる操作部材４を備える肥料供給具１である。この肥料供給具１は、山に植林をする場合に使用して好適なものであるが、耕作地や家庭菜園等において使用することも可能である。肥料としては、粒状のもので説明するが、液体の肥料でも適用可能である。
【００１３】
操作部材（本体）４は、手で把持して操作するとともに、突き刺し具２と肥料容器３が取り付けられるもので、上方がＴ字状の操作部４ａとなっており、この操作部４ａを両手で把持できるようになっている。操作部材（本体）４は、木製や金属製等の内部中空のもので、操作部４ａの中央には、ワイヤＷ１が貫通して、ワイヤＷ１の端部に第１の操作ピン（操作ピン）１０ａが設けられている。操作部材（本体）４には、摺動管５がその外周に取り付けられている。摺動管５は、突き刺し具２（２Ａ）を動かすためのワイヤＷ３が連結されており、操作部材（本体）４に対して摺動させることで、突き刺し具２（２Ａ）を動かす。すなわち、摺動管５とワイヤＷ３とで突き刺し具２を開閉する。摺動管５の上方には、手の指を引っ掛ける指引っ掛け部５ａがＴ字状の操作部４ａに沿うように設けられている。
【００１４】
突き刺し具２は、土や砂地Ｓに対して穴を開ける金属製のもので、対向する一対の突き刺し具２Ａ，２Ｂとして構成されている。一対の突き刺し具２Ａ，２Ｂは、植林をする場合を考慮して、比較的長いものであり、その基端側は各々断面がほぼ半円形状であり、先端に向かって円弧形状がなくなり先鋭に形成されている。すなわち、長い逆円錐形状を呈する。一対の突き刺し具２Ａ，２Ｂは、上方の基端側でネジｎを介して連結されており、このネジｎを中心に一方２Ａが他方２Ｂに対して可動する構造になっている。すなわち、一対の突き刺し具２Ａ，２Ｂは、その一方２Ａが他方２Ｂよりも小さく、この小さい方の突き刺し具２ＡにワイヤＷ３が連結され、このワイヤＷ３を引くことで一方２Ａが他方２Ｂに対して可動する構造になっている。また、一対の突き刺し具２Ａ，２Ｂは、バネ６で連結され、このバネ６の付勢力でもって互いの突き刺し具２Ａ，２Ｂが強力に開閉する構造になっている。一対の突き刺し具２Ａ，２Ｂの背面側には、メモリ２ｍがあり、深さを測る目安になる。なお、一対の突き刺し具２の一方２Ａが可動するほかに、他方２Ｂもワイヤ等で連動させて可動させる構造にすることも可能である。
【００１５】
突き刺し具２Ｂは、その上方の基端側が突き刺し具２Ａのそれよりも大きく形成され、この大きな基端側に操作部材４の下端が連結されている。突き刺し具２Ｂの上方基端側の大きな円弧形状部分に対してパイプ８の排出口（下端）が向けられている。なお、突き刺し具２としては、シャベルやスコップのような形状にすることも可能である。
【００１６】
肥料容器３は、肥料Ｈが入れられる容器であり、操作部材４の中途部に取り付けられている。肥料容器３は、合成樹脂製の筒状のものであり、柔軟性のあるものを使用して、外部から軽くたたくと、その振動により下方に落下させることができるようになっている。肥料容器３は、下方の排出口にパイプ８が設けられ、このパイプ８との連結部を塞ぐ第１の栓（栓）１１ａが設けられ、この第１の栓１ａはワイヤＷ１と連結され、ワイヤＷ１の他端側は、操作部材４の中央を貫通して第１の操作ピン（栓）１１ａと連結されている。したがって、第１の栓（栓）１１ａが肥料容器３の下方の排出口３ｃを塞いだり開放したりする。また、肥料容器３は、透明な合成樹脂製で、外側にメモリ３ｍが施されるとともに、取っ手３ｔが設けられている。肥料容器３に入れられる肥料Ｈとしては、調合した肥料Ｈであっても良く、液体の状で肥料Ｈであっても良い。なお、肥料容器３に水を入れて使用することも可能である。
【００１７】
したがって、本実施の形態の肥料供給具１を実際に使用するときは、植林等を行う場所において、肥料容器３に肥料を入れて、肥料容器３の排出口３ｃに第１の栓（栓）１１ａをしておき、上記一対の突き刺し具２Ａ，２Ｂを土や砂地Ｓに突き刺すようにする（図２（ａ）（ｂ））。一対の突き刺し具２Ａ，２Ｂには、メモリ２ｍが各々あるので、一対の突き刺し具２Ａ，２Ｂの土や砂地Ｓに突き刺すときの深さの目安を上記メモリ２ｍから得る。そして、操作部４ａを把持しながらその近傍の引き上げ部材５ａを引き上げると、ワイヤＷ３を介して一方の突き刺し具２Ａを他方の突き刺し具２Ｂに対して開操作させ、突き刺した箇所に所定の大きさに広げられる。そこで、操作部４ａの第１の操作ピン（操作ピン）１０ａを引き上げると、肥料容器３からパイプ８を介して一対の突き刺し具２Ａ，２Ｂの間に肥料Ｈを供給することができる（図２（ｃ）（ｄ））。すなわち、上記一対の突き刺し具２Ａ，２を開操作させると同時に、土や砂地Ｓに肥料Ｈが供給される。このように施肥すると、肥料Ｈは逆円錐形状に深く供給できる。
【００１８】
また、図３に示すような順序で肥料Ｈを供給しても良い。すなわち、一対の突き刺し具２Ａ，２Ｂを土や砂地Ｓに突き刺すようにしてから（図３（ａ））、操作部４ａの近傍の引き上げ部材５ａを引き上げ、ワイヤＷ３を介して一方の突き刺し具２Ａを他方の突き刺し具２Ｂに対して開操作させ、突き刺した箇所に所定の大きさに広げ（図３（ｂ））、そして、広げた状態にしてから第１の操作ピン（操作ピン）１０ａを引き上げ、肥料容器３からパイプ８を介して肥料Ｈを供給させる。このように施肥すると、肥料Ｈをほぼ円筒形状に深く供給できる（図３（ｃ）（ｄ））。なお、操作部４ａに第１の操作ピン（操作ピン）１０ａが設けられているとともに、摺動管５の指引っ掛け部５ａがＴ字状の操作部４ａに沿うよう近接して設けられ、摺動管（開閉手段）５も操作部４ａに近接しているので、突き刺し具２の操作をしながら肥料Ｈの供給を容易に行うことが可能である。
【００１９】
ここで、植林を例にして説明すると、植林は苗木を所定間隔で植えて行くが、植林したものが一律に育つことを期待して、苗木を植える深さや肥料の量が一律であることが望まれる。また、降雨による肥料の流失を防止するために、所定深さのところに少量ずつ分けて施肥するようにすると良い。そして、これらの作業において、除草を行うことが要求される。
除草しても、肥料を少量ずつ施すときには、既に草が茂っている場合があるので、本実施の形態の肥料供給具１を使用して、草を除去するが、除去すると同時に、上記作業を行えば、効率的な植林が行われる。すなわち、苗木を植えるときに効率的に肥料を一律に供給でき、後で更に施肥が必要であるときも、簡単な除草を行いながら肥料を土や砂地Ｓの所定深さのところに供給することができる。
なお、苗木を植えてから施肥する場合と苗木を植える状態にして施肥する場合があるが、いずれの場合も土や砂地Ｓは、苗木のための前作業で柔らかな状態になっているので、本実施の形態の肥料供給具１により深く施肥することが容易に可能である。
【００２０】
（第２の実施の形態）
図４は、本発明に係る第２の実施の形態の肥料供給具１１であり、第１の実施の形態と基本的な構成は同じであるが、操作部材４の下方側中途部に、足を掛けるための足掛け部４ｂが取り付けられていることと、肥料容器３は、一つの容器内を符号１２で示す部材にて区切り、肥料Ｈを貯蔵する貯蔵部３Ａと、肥料Ｈを計量する計量部３Ｂを設けたものである点が相違する。
【００２１】
肥料容器３は、上方の貯蔵部３Ａの下に、肥料Ｈを計量する計量部３Ｂが設けられ、貯蔵部３Ａよりも計量部３Ｂは小さく、この計量部３Ｂで満たされた所定量が排出されるようになっている。所定量は、計量部３Ｂにメモリ３ｍが施され、メモリを目安に所定量のみ排出させる。貯蔵部３Ｂのパイプ８との連結箇所（排出口）には、これを開閉する第２の栓（栓）１１ｂが設けられている。この第２の栓（栓）１１ｂはワイヤＷ２と連結され、ワイヤＷ２の他端側は、操作部材４の中央を貫通して第２の操作ピン１０ｂと連結されている。ここで、貯蔵部３Ａよりも計量部３Ｂは小さくして、この計量部３Ｂで満たされた全部を排出させることも可能である。また、貯蔵される肥料容器３とは別に、計量部３Ｂの容器を備えることも可能である。なお、肥料容器３とは別に水の容器を更に備えたり、肥料容器３に水の容器を更に備えたりすることは実施に応じ可能である。
【００２２】
したがって、本実施の形態によれば、肥料容器３の貯蔵部３Ａに肥料Ｈを入れて、操作部４ａの第１の操作ピン（操作ピン）１０ａを引き上げると、肥料容器３の計量部３Ｂに所定量の肥料Ｈが供給可能な状態になる。そこで、一対の突き刺し具２Ａ，２Ｂを土や砂地Ｓに突き刺して、操作部４ａの近傍の引き上げ部材５ａを引き上げ、ワイヤＷ３を介して一方の突き刺し具２Ａを他方の突き刺し具２Ｂに対して開操作させると、突き刺した箇所に所定の大きさに広げられる。土が固いところでは、足掛け部４ｂに足を掛け、体重を掛けると良い。そこで、操作部４ａの第２の操作ピン１０ｂを引き上げるときに、肥料容器３の計量部３Ｂからパイプ８を介して一対の突き刺し具２Ａ，２Ｂの間に肥料Ｈを供給しても良いし、又、一対の突き刺し具２Ａ，２Ｂを土や砂地Ｓに突き刺してから、一対の突き刺し具２Ａ，２Ｂの間に肥料容器３の計量部３Ｂからパイプ８を介して肥料を投入しておき（移動させておき）、一方の突き刺し具２Ａを他方の突き刺し具２Ｂに対して開操作させると同時に、この拡開した突き刺し具２Ａ，２Ｂの間に肥料Ｈを供給しても良い。
【００２３】
以上、本実施の形態では、植林用に用いて好適な肥料供給具として説明したが、この肥料供給具を小型化して、家庭菜園用に使用することも勿論可能である。また、肥料容器３を操作部材４から着脱できる構造にする等にすることは実施に応じ任意である。
【図面の簡単な説明】
【００２４】
【図１】本発明の第１の実施の形態である肥料供給具を示す斜視図である。
【図２】上記第１の実施の形態の肥料供給具の使用例を示す図である。
【図３】上記第１の実施の形態の肥料供給具の他の使用例を示す図である。
【図４】上記第２の実施の形態の肥料供給具を示す図である。
【符号の説明】
【００２５】
１，１１  肥料供給具、
２，２Ａ，２Ｂ  突き刺し具、２ｍ  メモリ、
３  肥料容器、３Ａ  貯蔵部，３Ｂ  計量部、３ｍ  メモリ、
４  操作部材（本体）、４ａ  操作部、４ｂ  足掛け部、
５  摺動管、５ａ  指引っ掛け部、
８  パイプ、
１０ａ  第１の操作ピン（操作ピン）、１０ｂ  第２の操作ピン（操作ピン）、
１１ａ  第１の栓（栓）、１１ｂ  第２の栓（栓）、
Ｈ  肥料（顆粒状の肥料）、
Ｗ１，Ｗ２  ワイヤ、
Ｗ３  ワイヤ

【図１】
0004845929.tif 000002
【図２】
0004845929.tif 000003
【図３】
0004845929.tif 000004
【図４】
0004845929.tif 000005